(57)【特許請求の範囲】
【請求項１】
画像を格納する画像メモリと、複数段の用紙カセットおよび手差し給紙部からなる給紙手段と、用紙カセットと手差し給紙部のいずれの給紙手段から優先して給紙するかを設定する手段と、前記給紙手段から給紙する制御手段とを備え、
画像を用紙にコピ−する際に、用紙カセットおよび手差し給紙部に収納されているいずれの用紙サイズも画像サイズに対して最適と判定したときには、前記制御手段が、前記優先設定された給紙手段から給紙し、
前記画像がファクシミリ受信画像の場合において、前記手差し給紙部に特殊用紙が収納されているときには、前記制御手段が、前記優先設定に拘らず用紙カセットから給紙し、前記手差し給紙部に特殊用紙が収納されていないときには、前記制御手段が、前記優先設定に拘らず、画像サイズに対して最適なサイズの用紙を収納している給紙手段から給紙することを特徴とする画像記録装置。
【発明の詳細な説明】
【０００１】
【発明の属する技術分野】
本発明は、普通紙を収納する用紙カセットと、ＯＨＰ用紙のような特殊用紙を収納できる手差し給紙部が設けられている構成の画像記録装置に関する。
【０００２】
【従来の技術】
複写機や、複写機能とファクシミリ通信機能を併せ持つ複合機として構成されているファクシミリ装置のような画像記録装置においては、原稿を読み取るスキャナにオ−トドキュメントフィ−ダ（ＡＤＦ）を具備している。また、フラットベットスキャナ（ＦＢＳ）による原稿読み取りも行われている。
【０００３】
このような画像記録装置は、複数の用紙カセットを備え、各用紙カセットにはサイズの異なる普通紙を収納している。画像記録装置には、画像メモリが設けられており、ＡＤＦまたはＦＢＳによる読み取り原稿の画像やファクシミリ受信画像が格納されている。
【０００４】
画像メモリに格納されている画像を用紙にコピ−する際には、画像サイズに適合した用紙が必要となる。このため、画像サイズに適合した用紙が収納されている用紙カセットを操作パネルから選択したり、制御部の動作により用紙カセットを自動的に選択して、所定のサイズの用紙に画像がコピ−される。
【０００５】
ところで、ＯＨＰ原稿の作成やカラ−見出し頁を作成する場合などにおいて、ＯＨＰ（Ｏｖｅｒ  Ｈｅａｄ  Ｐｒｏｊｅｃｔｏｒ）用紙やカラ−用紙のような特殊用紙に画像をコピ−する場合がある。このような特殊用紙は利用頻度が少ないこともあり、用紙カセットとは別に画像記録装置に手差し給紙部を設け、手差し給紙部から給紙している。複数段の用紙カセットと手差し給紙部との異なる給紙手段が併設されている場合には、用紙を選択する際の優先順位は、用紙カセットが先になり手差し給紙部は後になるように自動的に設定されている。
【０００６】
例えば、画像記録装置に設けられている用紙カセットが１段目と２段目の２段あり、手差し給紙部を併設しているものとする。この場合の用紙選択の順序は、１段目の用紙カセット＞２段目の用紙カセット＞手差し給紙部、となるように自動的に設定されている。
【０００７】
【発明が解決しようとする課題】
このように、用紙選択の順序が用紙カセットを優先する設定となっているために、画像をＯＨＰ用紙にコピ−できない場合がある。例えば、ＯＨＰ用の原稿を作成するために手差し給紙部にＯＨＰ用紙をセットした場合でも、用紙カセットにセットされている用紙に優先的にコピ−されてしまう。このため、ＯＨＰ用紙を用紙カセットに入れ直して再度のコピ−処理が必要となり、処理が煩雑になる上に、用紙が無駄になるという問題があった。
【０００８】
また、ファクシミリ受信画像は普通紙にコピ−し、ＯＨＰ用紙にはコピ−したくないというユ−ザの要請がある。しかしながら、用紙カセットにファクシミリ受信画像をコピ−するための適切なサイズの用紙がなく、手差し給紙部にセットされたＯＨＰ用紙が前記適切なサイズの用紙である場合には、ＯＨＰ用紙にファクシミリ受信画像がコピ−されてしまうという問題があった。
【０００９】
本発明は、かかる現状に鑑みてなされたものであり、手差し給紙部と用紙カセットとの異なる給紙手段を具備した画像記録装置において、画像を用紙にコピ−する際の給紙手段の選択を合理的に行なうと共に、ファクシミリ受信画像は特殊用紙にコピ−しない構成とした画像記録装置の提供を目的とする。
【００１０】
【課題を解決するための手段】
上記目的は、請求項１に係る発明において、画像記録装置を、画像を格納する画像メモリと、複数段の用紙カセットおよび手差し給紙部からなる給紙手段と、用紙カセットと手差し給紙部のいずれの給紙手段から優先して給紙するかを設定する手段と、前記給紙手段から給紙する制御手段とを備え、画像を用紙にコピ−する際に、用紙カセットおよび手差し給紙部に収納されているいずれの用紙サイズも画像サイズに対して最適と判定したときには、前記制御手段が、前記優先設定された給紙手段から給紙し、前記画像がファクシミリ受信画像の場合において、前記手差し給紙部に特殊用紙が収納されているときには、前記制御手段が、前記優先設定に拘らず用紙カセットから給紙し、前記手差し給紙部に特殊用紙が収納されていないときには、前記制御手段が、前記優先設定に拘らず、画像サイズに対して最適なサイズの用紙を収納している給紙手段から給紙する構成とすることによって達成される。
【００１３】
請求項１に係る発明によれば、用紙カセットと手差し給紙部のいずれの給紙手段から優先して給紙するかを設定する手段を設けている。このため、異なる給紙手段からの給紙順位を設定する際のユ−ザの自由度が大きくなり、必要に応じて給紙順位を任意に設定することができる。また、手差し給紙部にＯＨＰ用紙やカラ−用紙のような特殊用紙を収納し、画像を特殊用紙にコピ−してＯＨＰ原稿やカラ−見出し頁などを作成する際の処理を円滑に行なうことができる。
【００１４】
また、請求項１に係る発明によれば、画像がファクシミリ受信画像の場合において、前記手差し給紙部に特殊用紙が収納されているときには、前記優先設定に拘らず用紙カセットから給紙している。このため、手差し給紙部からの給紙を優先設定している場合でも、ファクシミリ受信画像を特殊用紙にコピ−する恐れがなくなる。
【００１５】
さらに、請求項１に係る発明によれば、手差し給紙部に特殊用紙が収納されていないときには、前記優先設定に拘らず、画像サイズに対して最適なサイズの用紙を収納している給紙手段から給紙している。このため、ファクシミリ受信画像をコピ−する際の用紙選択を合理的に行なうことができる。
【００１６】
【発明の実施の形態】
以下、本発明の実施の形態について図面を参照して説明する。図１は本発明の実施形態に係る画像記録装置を示す概略の正面図である。図１において、画像記録装置１は、開閉カバ−２、ＡＤＦ３、原稿載置板４、操作パネル５、排紙部６、用紙カセット７ａ〜７ｃ、キャスタ８ａ、８ｂ、手差し給紙部９が設けられている。このように図１に示した画像記録装置１は、複数段の用紙カセット７ａ〜７ｃと、手差し給紙部９との異なる給紙手段が設置されている。
【００１７】
用紙選択の順序は、通常は用紙カセット７ａ〜７ｃ＞手差し給紙部９と設定されている。本発明においては、操作パネル５に配置されている操作部のいずれかのキ−で、手差し給紙部９＞用紙カセット７ａ〜７ｃ、に手差し給紙部９を優先させた用紙選択の順序を設定する。このような用紙選択の順序の設定は、制御部の作用で記憶部に登録しておく。
【００１８】
ユ−ザは、前記登録されたキ−をオンとすることにより、用紙選択の順序は手差し給紙部９を優先させた設定とする。また、当該キ−をオフとした場合には、用紙カセット７ａ〜７ｃを手差し給紙部９よりも優先させて用紙を選択する。用紙カセットの優先順位も、例えば用紙カセット７ａ＞用紙カセット７ｂ＞用紙カセット７ｃのように設定される。
【００１９】
図２は、画像記録装置の制御部を示す概略のブロック図である。次にこのブロック図について説明する。図２において、画像記録装置は、複写機能とファクシミリ通信機能を有する複合機として構成されている。画像記録装置の制御装置１１は、各種信号やデ−タを処理するためのＣＰＵ（中央演算処理装置）１２を有している。ＣＰＵ１２は制御部として機能する。
【００２０】
ＣＰＵ１２には、回線制御部（ＮＣＵ）１４、モデム１５、画像メモリ１６、ＲＡＭ１７、ＲＯＭ１８、表示部１９、操作部２０、読取部２１、記録部２２、符号化・復号部２３、が接続されている。回線制御部１４は外部回線１３と接続され、相手先のダイヤル番号に対応したダイヤルパルスの送出、及び着信を検出する。
【００２１】
モデム１５は相手先のファクシミリ装置等の通信端末装置との間で送受信されるデ−タを変調・復調し、回線制御部１４と接続する。画像メモリ１６は、読み取り原稿の画像、ファクシミリ受信した画像を格納する。ＲＡＭに１７は、予約送信またはメモリ受信における管理デ−タが格納される。ＲＯＭ１８には画像記録装置の各種動作に必要なデ−タやプログラムが格納される。
【００２２】
液晶表示器（ＬＣＤ）を用いた表示部１９には、画像記録装置の動作に必要な各種メッセ−ジが表示される。スタ−トキ−、ストップキ−、テ−ンキ−その他の操作キ−からなる操作部２０は画像記録装置の各種動作、停止を指示する。また、画像の倍率を拡大、縮小する変倍率設定部が設けられている。
【００２３】
さらに、用紙選択の順序の設定を、操作部２０のいずれかのキ−に登録しておく。例えば、用紙選択の順序を設定したあるキ−をオンにしたときには、用紙選択の優先順位を手差し給紙部＞用紙カセット、と判定し、当該キ−をオフにしたときには、用紙選択の優先順位を、用紙カセット＞手差し給紙部と判定する。このような処理は、制御部として機能しているＣＰＵ１２により行なう。
【００２４】
読取部２１は原稿の画像を読み取る。読取部２１には、画像処理回路、シェ−デング補正動作で得られるデ−タを一時的に記憶するためのシェ−デングＲＡＭを備えている。読み取られた画像は、画像処理回路で種々の画像処理がなされた後に２値化処理される。記録部２２は、手差し給紙部または用紙カセットから給紙された用紙に画像をコピ−プリントする。画像のコピ−は、用紙の両面に行なう場合と用紙の片面に行なう場合がある。
【００２５】
符号化・復号部２３は、読み取り原稿の画像デ−タを所定の符号化方式で符号化し、また、受信した画像を復号する。なお、制御部１１に時計部を設けて現在時刻をカウントし、時計部の出力を用いて受信時刻を通信管理記録に保存することもできる。
【００２６】
図３、図４は、用紙給紙部を選択して画像を用紙にコピ−する処理手順を示すフロ−チャ−トである。次にこのフロ−チャ−トについて説明する。
【００２７】
（１）ステップＳ１で処理プログラムを開始し、ステップＳ２の処理で読み取り原稿の画像またはファクシミリ受信の画像を画像メモリに格納する。次に、ステップＳ３の処理で画像メモリに格納された画像は、ファクシミリ受信画像かどうかを判定する。この判定結果がＮＯ（以下、Ｎと略記する。）であれば、ステップＳ４の処理に移行して手差し給紙部にセットされている用紙サイズと同じサイズの用紙がセットされた用紙カセットがあるかかどうかを判定する。
【００２８】
（２）ステップＳ４の判定結果がＹＥＳ（以下、Ｙと略記する。）であれば、ステップＳ５の処理に移行して、画像メモリに格納された画像サイズは、手差し給紙部に設定されている用紙サイズが最適かどうかを判定する。ステップＳ５の判定結果がＹであれば、次にステップＳ６の処理で優先設定は手差し給紙部かどうかを判定する。
【００２９】
（３）ステップＳ６の判定結果がＹであれば、優先設定は手差し給紙部に設定されているので、次にステップＳ７の処理に移行して、手差し給紙部から給紙し、続いてステップＳ９の処理で手差し給紙部から給紙した用紙に画像をコピ−する。この処理が終了すると、ステップＳ１０で処理プログラムを終了する。このように、本発明においては画像メモリに格納されている画像がファクシミリ受信画像ではない場合で、優先設定は手差し給紙部に設定されていると、手差し給紙部から給紙した用紙に画像をコピ−する構成としている。
【００３０】
（４）前記ステップＳ６の判定結果がＮであれば、優先設定は用紙カセットに設定されているので、ステップＳ８の処理で用紙カセットから給紙する。次に、ステップＳ９の処理で用紙カセットから給紙した用紙に画像をコピ−し、ステップＳ１０で処理プログラムを終了する。
【００３１】
（５）前記ステップＳ４の処理において、この判定結果がＮの場合、すなわち、手差し給紙部に設定されている用紙サイズと同じサイズの用紙がセットされている用紙カセットがない場合には、ステップＳ１１の処理に移行する。ステップＳ１１の処理では、原稿サイズに最適な用紙を手差し給紙部または用紙カセットの用紙給紙部から給紙する。続いて、ステップＳ９の処理で給紙された用紙に画像をコピ−する。
【００３２】
（６）前記ステップＳ５の処理において、この判定結果がＮの場合、すなわち、画像メモリに格納された画像サイズは、手差し給紙部に設定されている用紙サイズが最適ではない場合には、ステップＳ１２の処理に移行する。ステップＳ１２の処理では、原稿サイズに最適な用紙を用紙カセットである用紙給紙部から給紙する。続いて、ステップＳ９の処理で給紙された用紙に画像をコピ−する。
【００３３】
（７）前記ステップＳ３の処理において、この判定結果がＹの場合、すなわち、画像メモリに格納された画像は、ファクシミリ受信画像の場合には、ステップＳ１３の処理に移行する。ステップＳ１３の処理では、手差し給紙部にセットされた用紙はＯＨＰの用紙かどうかを判定する。
【００３４】
（８）ステップＳ１３の判定結果がＹであれば、次にステップＳ１４の処理に移行して、ＯＨＰ用紙がセットされている手差し給紙部以外の用紙カセットから最適なサイズの用紙を選択する。続いて、ステップＳ９の処理で給紙された用紙にファクシミリ受信画像をコピ−する。このように、本発明においては、画像メモリに格納されている画像がファクシミリ受信画像の場合には、優先設定が手差し給紙部に設定されているときでも、ＯＨＰ用紙にはコピ−されない構成としている。
【００３５】
（９）ステップＳ１３の判定結果がＮの場合、すなわち、手差し給紙部にセットされた用紙はＯＨＰの用紙ではない場合には、ステップＳ１５の処理に移行する。ステップＳ１５の処理では、手差し給紙部にセットされた用紙サイズと同じサイズの用紙をセットした用紙カセットが有るかどうかを判定する。
【００３６】
（１０）ステップＳ１５の判定結果がＹであれば、次にステップＳ１６の処理に移行して、画像メモリに格納された画像サイズは手差し給紙部に設定されている用紙サイズが最適かどうかを判定する。この判定結果がＹであれば、ステップＳ１７の処理に移行して、手差し給紙部から給紙し、続いてステップＳ９の処理で手差し給紙部から給紙された用紙に画像をコピ−する。
【００３７】
（１１）前記ステップＳ１５の判定結果がＮの場合、すなわち、手差し給紙部にセットされた用紙サイズと同じサイズの用紙をセットした用紙カセットがない場合には、前記ステップＳ１１の処理に移行する。ステップＳ１１の処理では、原稿サイズに最適な用紙を手差し給紙部または用紙カセットの用紙給紙部から給紙する。
【００３８】
（１２）ステップＳ１６の判定結果がＮの場合、すなわち、画像メモリに格納された画像サイズは手差し給紙部に設定されている用紙サイズが最適ではない場合には、前記ステップＳ１２の処理で、原稿サイズに最適な用紙を用紙カセットである用紙給紙部から給紙する。前記ステップＳ１１、ステップＳ１２の処理で給紙された用紙に対して、ステップＳ９の処理で画像をコピ−する。
【００３９】
図３、図４の例では、ステップＳ１３の処理で手差し給紙部にＯＨＰ用紙が設定されているかどうかを判定している。本発明においては、ステップＳ１３の処理でＯＨＰ用紙以外の特殊用紙、例えばカラ−用紙が設定されているかどうかを判定する構成とすることもできる。
【００４０】
本発明においては、画像メモリに格納されている画像サイズに対して、用紙カセットまたは手差し給紙部から最適サイズの用紙を選択して、その用紙に画像をコピ−している。図５は、画像サイズと最適な用紙サイズとの関係を示す説明図である。図５において画像サイズがＡ４であるものとする。この場合の最適な用紙サイズは、画像サイズと同サイズのＡ４である（順位１位）。
【００４１】
用紙カセットおよび手差し給紙部にＡ４サイズの用紙がない場合には、Ｂ４サイズの用紙が最適な用紙サイズとなる。この場合には、Ｂ４サイズの用紙に破線で示したＡ４サイズの大きさで画像がコピ−される。ただし、用紙カセットまたは手差し給紙部のいずれかにＡ４サイズの用紙がある場合には、Ｂ４サイズの用紙は最適サイズとはならない。したがって、Ｂ４サイズの用紙は順位２位の用紙となる。
【００４２】
用紙カセットおよび手差し給紙部にＡ４サイズの用紙とＢ４サイズの用紙がない場合には、Ｂ５サイズの用紙が最適な用紙サイズとなる。この場合には、画像は縮小されてＢ５サイズの用紙にコピ−される。したがって、Ｂ５サイズの用紙は順位３位の用紙となる。同様にＡ３サイズの用紙は順位４位の用紙となるが、この場合には、Ａ３サイズの用紙に破線で示したように画像を９０度回転させてコピ−することができる。
【００４３】
なお、本発明の複合機をインタフェイスを介してＬＡＮ（Ｌｏｃａｌ  Ａｒｅａ  Ｎｅｔｗｏｒｋ）のような通信網に接続した場合には、パ−ソナルコンコンピュ−タなどの通信端末装置から受信して画像メモリに格納した画像についても、用紙カセットまたは手差し給紙部から最適な用紙を給紙してコピ−する構成とすることができる。
【００４４】
【発明の効果】
以上説明したように、本発明によれば、手差し給紙部と用紙カセットとの異なる給紙手段を具備した画像記録装置において、画像を用紙にコピ−する際の給紙手段の選択を合理的に行なうことができる。また、ファクシミリ受信画像は特殊用紙にコピ−しないので、ユ−ザの要請に対応できる構成の画像記録装置を提供することができる。
【図面の簡単な説明】
【図１】本発明の実施形態に係る画像記録装置を示す概略の正面図である。
【図２】制御部のブロック図である。
【図３】本発明の処理手順を示すフロ−チャ−トである。
【図４】本発明の処理手順を示すフロ−チャ−トである。
【図５】最適用紙選択の説明図である。
【符号の説明】
１    画像記録装置
２    開閉カバ−
３    ＡＤＦ
４    原稿載置台
５    操作パネル
７ａ〜７ｃ    用紙カセット
９    手差し給紙部
１１    制御装置
１２    中央演算処理装置（ＣＰＵ）
１６    画像メモリ
【図１】
0004306164.tif 000002
【図２】
0004306164.tif 000003
【図３】
0004306164.tif 000004
【図４】
0004306164.tif 000005
【図５】
0004306164.tif 000006